(57)【要約】【課題】  安価で外観上の体裁を良好に保持すること。【解決手段】  薄型ディスプレイ本体１がヒンジ２を介してスタンド４に支持されたディスプレイ装置において、前記スタンド４が板金からなる平板状ベースプレート７を有し、該ベースプレート７の中央部を上向きに押出成形することにより横断面略コ字状の台枠７Ａが形成され、該台枠７Ａの上面がヒンジ固定面７ａとされ、該ヒンジ固定面７ａがそのヒンジ固定面７ａの前縁７ｂを通る水平仮想線Ｈに対して後方ｂに向かって下向きに所定の傾斜角度βで傾斜されており、ヒンジ固定面７ａにヒンジ２を介して固定したディスプレイ本体１の前面１ａとベースプレート７の下面７ｃとの間の対向角度αが９０°から前記傾斜角度β分だけ大きく設定されている。【選択図】        図１
2008209819.tif 000002
【特許請求の範囲】
【請求項１】
薄型ディスプレイ本体がヒンジを介してスタンドに支持されたディスプレイ装置におい
て、前記スタンドが板金からなる平板状ベースプレートを有し、該ベースプレートの中央
部を上向きに押出成形することにより横断面略コ字状の台枠が形成され、該台枠の上面が
ヒンジ固定面とされ、該ヒンジ固定面がそのヒンジ固定面の前縁を通る水平仮想線に対し
て後方に向かって下向きに０．５〜２°（好ましくは１〜１．５°）の傾斜角度で傾斜さ
れ、前記ヒンジが板金からなる前板部及び該前板部の両側縁から後方に折り曲げた左右一
対の側板部を有し、その前板部及び各側板部の下縁から外向きに折り曲げた脚片が前記ヒ
ンジ固定面に止着され、前記前板部の上縁からその中央部まで切欠いて凹部を形成するこ
とにより、該前板部の上部両側に左右一対の縁板部が切り残され、該各縁板部に左右一対
のブラケットの下部を止着することにより、該各ブラケットの上部がヒンジより上方に延
ばされており、その各ブラケットの上部に前記ディスプレイ本体の裏面が止着されており
、ディスプレイ本体の前面とベースプレートの下面との間の対向角度が９０°から前記傾
斜角度分だけ大きく設定されていることを特徴とするディスプレイ装置。
【請求項２】
薄型ディスプレイ本体がヒンジを介してスタンドに支持されたディスプレイ装置におい
て、前記スタンドが板金からなる平板状ベースプレートを有し、該ベースプレートの中央
部を上向きに押出成形することにより横断面略コ字状の台枠が形成され、該台枠の上面が
ヒンジ固定面とされ、該ヒンジ固定面がそのヒンジ固定面の前縁を通る水平仮想線に対し
て後方に向かって下向きに所定の傾斜角度で傾斜されており、ヒンジ固定面にヒンジを介
して固定したディスプレイ本体の前面とベースプレートの下面との間の対向角度が９０°
から前記傾斜角度分だけ大きく設定されていることを特徴とするディスプレイ装置。
【請求項３】
前記傾斜角度が０．５〜２°（好ましくは１〜１．５°）に設定されていることを特徴
とする請求項２に記載のディスプレイ装置。
【請求項４】
前記ヒンジが板金からなる前板部及び該前板部の両側縁から後方に折り曲げた左右一対
の側板部を有し、その前板部及び各側板部の下縁から外向きに折り曲げた脚片が前記台枠
のヒンジ固定面に止着されていることを特徴とする請求項２または３に記載のディスプレ
イ装置。
【請求項５】
前記前板部の上縁からその中央部まで切欠いて凹部を形成することにより、該前板部の
上部両側に左右一対の縁板部が切り残され、該各縁板部に左右一対のブラケットの下部を
止着することにより、該各ブラケットの上部がヒンジより上方に延ばされており、その各
ブラケットの上部に前記ディスプレイ本体の裏面が止着されていることを特徴とする請求
項４に記載のディスプレイ装置。
【発明の詳細な説明】
【技術分野】
【０００１】
本発明は、例えば液晶テレビなどのディスプレイ装置に関し、特に、安価で外観上の体
裁を良好に保持することができるようにしたものである。
【背景技術】
【０００２】
従来、ディスプレイ装置の一例として図５及び図６に示すものがあり、これは液晶ディ
スプレイであって、図５は同斜視図、図６は同側面図である。
【０００３】
図５及び図６に示すように、液晶モジュール１Ａを有する薄型ディスプレイ本体１の裏
面にヒンジ２が固着され、該ヒンジ２の下端が枢支軸３を介してスタンド４に前後方向ａ
，ｂに回動可能に枢支され、ばね（図示せず）による押圧力でディスプレイ本体１が枢支
軸３回りで不測に回動しないように押さえられている。なお、５はリアキャビネットであ
る。
【０００４】
上記構成において、ばねの押圧力に抗して枢支軸３を中心にディスプレイ本体１を前方
ａまたは後方ｂに動かすことにより、該ディスプレイ本体１の前面１ａからスタンド４の
下面までの対向角度αを所望通りに設定することができる。なお、関連する技術として特
許文献１に記載したものがある。
【特許文献１】特開平６−３４３８０号公報
【発明の開示】
【発明が解決しようとする課題】
【０００５】
上記従来の構成では、図６に示すように、ディスプレイ本体１の重心Ｇが枢支軸３を通
る垂直線Ｏから前方ａに一定間隔ｈをおいて位置している。従って、対向角度αを例えば
９０°で固定した場合、図６に実線で示すように、ディスプレイ本体１が小型である場合
には、ばねの押圧力でディスプレイ本体１を動かないように押さえて、対向角度αを９０
°に保持することができるが、図６に二点鎖線で示すように、ディスプレイ本体１が大型
化（例えば３６インチ以上）してくると、ばねによる押圧力でそのディスプレイ本体１を
動かないように押さえて、対向角度αを９０°に保持することが困難となり、一点鎖線Ｚ
で示すように、時間の経過にともなって、ディスプレイ本体１の前面１ａが前屈みとなり
、対向角度αが例えば８９°になって、外観上の体裁が悪くなる。
【０００６】
上記難点を解消するため、枢支軸３に代えてダイキャストを用いることにより、そのダ
イキャストでヒンジ２をスタンド４に固定し、対向角度αを９０°に固定することが考え
られるが、これでは、高価なダイキャストを用いていることから、製作費が高くつく。
【０００７】
そこで、ダイキャストよりも安価な板金を用いることが考えられるが、その板金は撓み
やすいため、時間の経過にともなって、対向角度αが当初の９０°よりも小さくなって、
外観上の体裁が悪くなるおそれがある。
【０００８】
本発明は、上記従来の欠点に鑑み、安価で外観上の体裁を良好に保持することができる
ようにしたディスプレイ装置を提供することを目的としている。
【課題を解決するための手段】
【０００９】
上記目的を達成するため、請求項１に記載の発明は、薄型ディスプレイ本体がヒンジを
介してスタンドに支持されたディスプレイ装置において、前記スタンドが板金からなる平
板状ベースプレートを有し、該ベースプレートの中央部を上向きに押出成形することによ
り横断面略コ字状の台枠が形成され、該台枠の上面がヒンジ固定面とされ、該ヒンジ固定
面がそのヒンジ固定面の前縁を通る水平仮想線に対して後方に向かって下向きに０．５〜
２°（好ましくは１〜１．５°）の傾斜角度で傾斜され、前記ヒンジが板金からなる前板
部及び該前板部の両側縁から後方に折り曲げた左右一対の側板部を有し、その前板部及び
各側板部の下縁から外向きに折り曲げた脚片が前記ヒンジ固定面に止着され、前記前板部
の上縁からその中央部まで切欠いて凹部を形成することにより、該前板部の上部両側に左
右一対の縁板部が切り残され、該各縁板部に左右一対のブラケットの下部を止着すること
により、該各ブラケットの上部がヒンジより上方に延ばされており、その各ブラケットの
上部に前記ディスプレイ本体の裏面が止着されており、ディスプレイ本体の前面とベース
プレートの下面との間の対向角度が９０°から前記傾斜角度分だけ大きく設定されている
ことを特徴としている。
【００１０】
請求項２に記載の発明は、薄型ディスプレイ本体がヒンジを介してスタンドに支持され
たディスプレイ装置において、前記スタンドが板金からなる平板状ベースプレートを有し
、該ベースプレートの中央部を上向きに押出成形することにより横断面略コ字状の台枠が
形成され、該台枠の上面がヒンジ固定面とされ、該ヒンジ固定面がそのヒンジ固定面の前
縁を通る水平仮想線に対して後方に向かって下向きに所定の傾斜角度で傾斜されており、
ヒンジ固定面にヒンジを介して固定したディスプレイ本体の前面とベースプレートの下面
との間の対向角度が９０°から前記傾斜角度分だけ大きく設定されていることを特徴とし
ている。
【００１１】
請求項３に記載の発明は、請求項２に記載の発明において、前記傾斜角度が０．５〜２
°（好ましくは１〜１．５°）に設定されていることを特徴としている。
【００１２】
請求項４に記載の発明は、請求項２または３に記載の発明において、前記ヒンジが板金
からなる前板部及び該前板部の両側縁から後方に折り曲げた左右一対の側板部を有し、そ
の前板部及び各側板部の下縁から外向きに折り曲げた脚片が前記台枠のヒンジ固定面に止
着されていることを特徴としている。
【００１３】
請求項５に記載の発明は、請求項４に記載の発明において、前記前板部の上縁からその
中央部まで切欠いて凹部を形成することにより、該前板部の上部両側に左右一対の縁板部
が切り残され、該各縁板部に左右一対のブラケットの下部を止着することにより、該各ブ
ラケットの上部がヒンジより上方に延ばされており、その各ブラケットの上部に前記ディ
スプレイ本体の裏面が止着されていることを特徴としている。
【発明の効果】
【００１４】
請求項１に記載の発明は実施の一形態（図１〜図４参照）に対応するものであって、こ
れによれば、ベースプレートの中央部を上向きに押出成形することにより形成した台枠の
ヒンジ固定面にヒンジを介してディスプレイ本体を固定するようになっており、そのベー
スプレートが安価な板金で形成されているので、製作費が安くつく。
【００１５】
また、前記ベースプレートのヒンジ固定面が後方に向かって下向きに所定の傾斜角度で
傾斜されてディスプレイ本体を後方に傾けており、その傾斜角度が０．５°未満の場合に
は、時間の経過にともなってベースプレートが撓むことにより、ディスプレイ本体の前面
とベースプレートの下面との間の対向角度が９０°よりも小さくなり、ディスプレイ本体
の前面が前屈みになり、外観上の体裁が悪くなる。また、傾斜角度が２°を超える場合に
は、時間の経過にともなってベースプレートが撓んでも、対向角度が９０°よりも大きい
状態が維持され、ディスプレイ本体が後方に傾いた状態のままとなり、外観上の体裁が悪
くなる。
【００１６】
そこで、傾斜角度が０．５〜２°（好ましくは１〜１．５°）に設定されており、時間
の経過にともなってベースプレートが撓んでディスプレイ本体が前方に傾くことにより、
対向角度が９０°に限りなく接近し、そのディスプレイ本体の前面が従来のように前屈み
になることがなく、外観上の体裁を良好に維持することができる。
【００１７】
更に、ヒンジも安価な板金で形成されているので、製作費が安くつく。
【００１８】
しかも、小型から大型まで大きさが異なる複数のディスプレイ本体に合わせてブラケッ
トを替えるだけでよく、ヒンジとして１種類のもので共用することができるから、製作費
が安くつく。
【００１９】
請求項２に記載の発明は基本形態に対応するものであって、これによれば、ベースプレ
ートの中央部を上向きに押出成形することにより形成した台枠のヒンジ固定面にヒンジを
介してディスプレイ本体を固定するようになっており、そのベースプレートが安価な板金
で形成されているので、製作費が安くつく。
【００２０】
前記ベースプレートのヒンジ固定面が後方に向かって下向きに所定の傾斜角度で傾斜さ
れており、その傾斜角度分だけディスプレイ本体を後方に傾けているから、時間の経過に
ともなって、ベースプレートが撓んでディスプレイ本体が前方に傾くことにより、ディス
プレイ本体の前面とベースプレートの下面との間の対向角度が９０°に限りなく接近し、
そのディスプレイ本体の前面が従来のように前屈みになることがなく、外観上の体裁を良
好に維持することができる。
【００２１】
請求項３に記載の発明において、前記傾斜角度が０．５°未満の場合には、時間の経過
にともなってベースプレートが撓むことにより、対向角度が９０°よりも小さくなり、デ
ィスプレイ本体の前面が前屈みになり、外観上の体裁が悪くなる。また、傾斜角度が２°
を超える場合には、時間の経過にともなってベースプレートが撓んでも、対向角度が９０
°よりも大きい状態が維持され、ディスプレイ本体が後方に傾いた状態のままとなり、外
観上の体裁が悪くなる。
【００２２】
そこで、傾斜角度が０．５〜２°（好ましくは１〜１．５°）に設定されており、時間
の経過にともなってベースプレートが撓んでディスプレイ本体が前方に傾くことにより、
ディスプレイ本体の前面とベースプレートの下面との間の対向角度が９０°に限りなく接
近し、そのディスプレイ本体の前面が従来のように前屈みになることがなく、外観上の体
裁を良好に維持することができる。
【００２３】
請求項４に記載の発明によれば、ヒンジも安価な板金で形成されているので、製作費が
安くつく。
【００２４】
請求項５に記載の発明によれば、小型から大型まで大きさが異なる複数のディスプレイ
本体に合わせてブラケットを替えるだけでよく、ヒンジとして１種類のもので共用するこ
とができるから、製作費が安くつく。
【発明を実施するための最良の形態】
【００２５】
図１〜図４は本発明の実施の一形態であるディスプレイ装置を示すものであって、図１
は一部切欠き側面図、図２は同要部の斜視図、図３は同要部の分解斜視図、図４は同要部
の拡大側面図である。
【００２６】
図１〜図４に示すように、スタンド４が板金からなる平板状ベースプレート７を有し、
該ベースプレート７の中央部を上向きに押出成形することにより横断面略コ字状の台枠７
Ａが形成され、該台枠７Ａの上面がヒンジ固定面７ａとされ、該ヒンジ固定面７ａがその
ヒンジ固定面７ａの前縁７ｂを通る水平仮想線Ｈに対して後方ｂに向かって下向きに所定
の傾斜角度βで傾斜されており、ヒンジ固定面７ａにヒンジ２及び左右一対のブラケット
８を介して固定したディスプレイ本体１の前面１ａとベースプレート７の下面７ｃとの間
の対向角度αが９０°から前記傾斜角度β分だけ大きく設定されている。なお、図１中、
９はスタンドカバーである。上記以外の構成は図５及び図６に示す構成とほぼ同じである
から、同一部分に同一符号を付してその説明を省略する。
【００２７】
上記構成によれば、ベースプレート７が安価な板金で形成されているので、製作費が安
くつく。
【００２８】
また、図１に示すように、ディスプレイ本体１の重心Ｇがヒンジ２から前方ａに一定間
隔ｈをおいて位置されており、該ディスプレイ本体１に対して前方ａに傾かせるように負
荷がかかっている。
【００２９】
これに対して、ベースプレート７のヒンジ固定面７ａが後方に向かって下向きに所定の
傾斜角度βで傾斜されており、その傾斜角度β分だけディスプレイ本体１を後方に傾けて
いるから（図４参照）、時間の経過にともなって、ベースプレート７が撓んでディスプレ
イ本体１が前方ａに傾くことにより（図１の二点鎖線Ｘ参照）、対向角度αが９０°に限
りなく接近するようにしている。
【００３０】
前記傾斜角度βが０．５°未満の場合には、時間の経過にともなってベースプレート７
が撓むことにより、対向角度αが９０°よりも小さくなり（例えばα＝８９．５°）、デ
ィスプレイ本体１の前面１ａが前屈みになり、外観上の体裁が悪くなる。また、傾斜角度
βが２°を超える場合には、時間の経過にともなってベースプレート７が撓んでも、対向
角度が９０°よりも大きい状態が維持され（例えばα＝９１．５°）、ディスプレイ本体
１が後方ｂに傾いた状態のままとなり、外観上の体裁が悪くなる。
【００３１】
そこで、ベースプレート７の撓み量を予測し、その予測値に基づいて傾斜角度βが０．
５〜２°（好ましくは１〜１．５°）に設定されており（この実施の形態では、β＝１°
、α＝９１°）、時間の経過にともなってベースプレート７が撓んでディスプレイ本体１
が前方ａに傾くことにより、対向角度αが９０°に限りなく接近し、そのディスプレイ本
体１の前面１ａが従来のように前屈みになることがなく、外観上の体裁を良好に維持する
ことができる。
【００３２】
図２及び図３に示すように、前記ヒンジ２は、板金からなる前板部２ａ及び該前板部２
ａの両側縁から後方に直角に折り曲げた左右一対の側板部２ｂ，２ｃを有し、その前面１
ａ及び各側板部２ｂ，２ｃの下縁から脚片２ｄが外向きに折り曲げられ、該各脚片２ｄ及
びヒンジ固定面７ａの貫通孔１０，１１を通ってビスやボルト・ナットなどの止着具１２
でその各脚片２ｄをヒンジ固定面７ａに止着しており、この場合、ヒンジ２も安価な板金
で形成されているので、製作費が安くつく。
【００３３】
図２及び図３に示すように、ヒンジ２の前板部２ａの上縁からその中央部まで切欠いて
凹部１３を形成することにより、該前板部２ａの上部両側に左右一対の縁板部２ｅ，２ｆ
が切り残されている。
【００３４】
図１〜図３に示すように、前記各ブラケット８は、板金からなり、側面視略コ字状縦板
部８ａと、該縦板部８ａの上下端から直角に折り曲げた上下一対の横板部８ｂ，８ｃとを
有している。
【００３５】
組立手順を示すと、図２及び図３に示すように、各下側横板部８ｃの下部及び各縁板部
２ｅ，２ｆの貫通孔１４，１５を通ってビスやボルト・ナットなどの止着具１６でその各
下側横板部８ｃを各縁板部２ｅ，２ｆに止着することにより、各ブラケット８の上部がヒ
ンジ２よりも上方に延ばされている。
【００３６】
次に、図１〜図３に示すように、各下側横板部８ｃの上部及び各上側横板部８ｂの貫通
孔１７，１８を通ってビスやボルト・ナットなどの止着具１９でディスプレイ本体１の裏
面の各突起枠１ｂ，１ｃを各横板部８ｂ，８ｃに止着することにより、各ブラケット８の
上部にディスプレイ本体１を固定する。
【００３７】
上記構成によれば、小型から大型まで大きさが異なる複数のディスプレイ本体１に合わ
せてブラケット８を替えるだけでよく、ヒンジ２として１種類のもので共用することがで
きるから、製作費が安くつく。
【図面の簡単な説明】
【００３８】
【図１】本発明の実施の一形態であるディスプレイ装置を示す一部切欠き側面図である。
【図２】同要部の斜視図である。
【図３】同要部の分解斜視図である。
【図４】同要部の拡大側面図である。
【図５】従来例を示す斜視図である。
【図６】同側面図である。
【符号の説明】
【００３９】
１          ディスプレイ本体
１ａ        ディスプレイ本体の前面
２          ヒンジ
２ａ        ヒンジの前板部
２ｂ，２ｃ  ヒンジの側板部
２ｄ        ヒンジの脚片
２ｅ，２ｆ  ヒンジの縁板部
４          スタンド
７          ベースプレート
７Ａ        台枠
７ａ        ヒンジ固定面
７ｂ        台枠の前縁
７ｃ        ベースプレートの下面
８          ブラケット
α          対向角度
Ｈ          水平仮想線
β          ヒンジ固定面の傾斜角度
【図１】
2008209819.tif 000003
【図２】
2008209819.tif 000004
【図３】
2008209819.tif 000005
【図４】
2008209819.tif 000006
【図５】
2008209819.tif 000007
【図６】
2008209819.tif 000008